(57)【特許請求の範囲】
【請求項１】
周波数分割多重（ＦＤＭ）を用いてリソースブロックにおいてユーザ装置（ＵＥ）によってデータを送信することと、
周波数領域符号分割多重（ＣＤＭ）を用いて前記リソースブロックにおいてパイロットを送信することと
を具備し、
前記データを送信することは、
前記データに関する複数の変調シンボルを生成することと、
前記リソースブロックの複数のシンボル期間においてサブキャリアの複数グループ上で前記複数の変調シンボルを送信することと
を備え、
各グループは、少なくとも２個の連続したサブキャリアを含み、
前記データを送信することは、
前記複数のシンボル期間に関して複数のシングルキャリア周波数分割多重（ＳＣ−ＦＤＭ）シンボル、各シンボル期間に関して１個のＳＣ−ＦＤＭシンボルを生成することと、
各ＳＣ−ＦＤＭシンボルを夫々のシンボル期間において送信することと
を更に備え、
各ＳＣ−ＦＤＭシンボルは、サブキャリアの１つのグループ上で送信される変調シンボルを備え、
相異なるシンボル期間に関するＳＣ−ＦＤＭシンボルは、相異なるサブキャリアのグループ上で送信される、
無線通信システムにおいてデータ及びパイロットを送信する方法。
【請求項２】
前記リソースブロックは、複数のシンボル期間において複数のサブキャリアを備え、
各サブキャリアは、各シンボル期間において前記ＵＥおよび少なくとも１つの他のＵＥのうち多くとも１個のＵＥによってデータ送信のために使用される、
請求項１の方法。
【請求項３】
前記複数グループは、周波数ダイバーシチのために前記リソースブロックにおいて異なるサブキャリアを含む、請求項１の方法。
【請求項４】
所定のパターンまたは疑似乱数ホッピングパターンに基づいて前記サブキャリアの複数グループを決定することを更に具備する請求項１の方法。
【請求項５】
前記複数グループは、前記リソースブロックの前記複数のシンボル期間に亘って連続的に増加するサブキャリアを含む、請求項１の方法。
【請求項６】
前記パイロットを送信することは、前記リソースブロックの少なくとも１つのシンボル期間の各々において前記複数のサブキャリア上でパイロットに関する参照信号系列を送信することを備え、
少なくとも１つの他の参照信号系列が、前記少なくとも１つのシンボル期間の各々において前記複数のサブキャリア上で少なくとも１つの他のＵＥによってパイロットに関して送信される、
請求項２の方法。
【請求項７】
前記参照信号系列及び前記少なくとも１つの他の参照信号系列は、ベース系列の異なるサイクリックシフトである、請求項６の方法。
【請求項８】
前記データは、チャネル品質インジケータ（ＣＱＩ）情報、またはアクナリッジメント（ＡＣＫ）情報、またはＣＱＩ及びＡＣＫの両方の情報を備える、請求項１の方法。
【請求項９】
周波数分割多重（ＦＤＭ）を用いてリソースブロックにおいてユーザ装置（ＵＥ）によってデータを送信し、周波数領域符号分割多重（ＣＤＭ）を用いて前記リソースブロックにおいてパイロットを送信するように構成された少なくとも１つのプロセッサ
を具備し、
前記少なくとも１つのプロセッサは、前記データに関する複数の変調シンボルを生成し、前記リソースブロックの複数のシンボル期間においてサブキャリアの複数グループ上で前記複数の変調シンボルを送信するように構成され、
各グループは、少なくとも２個の連続したサブキャリアを含み、
前記少なくとも１つのプロセッサは、前記複数のシンボル期間に関して複数のシングルキャリア周波数分割多重（ＳＣ−ＦＤＭ）シンボル、各シンボル期間に関して１個のＳＣ−ＦＤＭシンボルを生成し、各ＳＣ−ＦＤＭシンボルを夫々のシンボル期間において送信するように構成され、
各ＳＣ−ＦＤＭシンボルはサブキャリアの１つのグループ上で送信される変調シンボルを備え、
相異なるシンボル期間に関するＳＣ−ＦＤＭシンボルは、相異なるサブキャリアのグループ上で送信される、
無線通信のための装置。
【請求項１０】
前記複数グループは、周波数ダイバーシチのために前記リソースブロックにおいて異なるサブキャリアを含む、請求項９の装置。
【請求項１１】
前記少なくとも１つのプロセッサは、所定パターンまたは疑似乱数ホッピングパターンに基づいて前記サブキャリアの複数グループを決定するように構成される、請求項９の装置。
【請求項１２】
前記少なくとも１つのプロセッサは、前記リソースブロックの少なくとも１つのシンボル期間の各々において複数のサブキャリア上でパイロットに関する参照信号系列を送信するように構成され、
少なくとも１つの他の参照信号系列が、前記少なくとも１つのシンボル期間の各々において前記複数のサブキャリア上で少なくとも１つの他のＵＥによってパイロットに関して送信される、
請求項９の装置。
【請求項１３】
周波数分割多重（ＦＤＭ）を用いてリソースブロックにおいてユーザ装置（ＵＥ）によってデータを送信するための手段と、
周波数領域符号分割多重（ＣＤＭ）を用いて前記リソースブロックにおいてパイロットを送信するための手段と
を具備し、
前記データを送信するための手段は、
前記データに関する複数の変調シンボルを生成するための手段と、
前記リソースブロックの複数のシンボル期間においてサブキャリアの複数グループ上で前記複数の変調シンボルを送信するための手段と
を備え、
各グループは、少なくとも２個の連続したサブキャリアを含み、
前記データを送信するための手段は、
前記複数のシンボル期間に関して複数のシングルキャリア周波数分割多重（ＳＣ−ＦＤＭ）シンボル、各シンボル期間に関して１個のＳＣ−ＦＤＭシンボルを生成するための手段と、
各ＳＣ−ＦＤＭシンボルを夫々のシンボル期間において送信するための手段と
を更に備え、
各ＳＣ−ＦＤＭシンボルは、サブキャリアの１つのグループ上で送信される変調シンボルを備え、
相異なるシンボル期間に関するＳＣ−ＦＤＭシンボルは、相異なるサブキャリアのグループ上で送信される、
無線通信のための装置。
【請求項１４】
前記複数グループは、周波数ダイバーシチのために前記リソースブロックにおいて異なるサブキャリアを含む、請求項１３の装置。
【請求項１５】
所定パターンまたは疑似乱数ホッピングパターンに基づいて前記サブキャリアの複数グループを決定するための手段を更に具備する請求項１３の装置。
【請求項１６】
前記パイロットを送信するための手段は、前記リソースブロックの少なくとも１つのシンボル期間の各々において複数のサブキャリア上でパイロットに関する参照信号系列を送信するための手段を備え、
少なくとも１つの他の参照信号系列が、前記少なくとも１つのシンボル期間の各々において前記複数のサブキャリア上で少なくとも１つの他のＵＥによってパイロットに関して送信される、
請求項１３の装置。
【請求項１７】
少なくとも１つのコンピュータに、周波数分割多重（ＦＤＭ）を用いてリソースブロックにおいてユーザ装置（ＵＥ）によってデータを送信させるためのコードと、
前記少なくとも１つのコンピュータに、周波数領域符号分割多重（ＣＤＭ）を用いて前記リソースブロックにおいてパイロットを送信させるためのコードと
を具備し、
前記少なくとも１つのコンピュータに、データを送信させるための前記コードは、
前記少なくとも１つのコンピュータに、前記データに関する複数の変調シンボルを生成させるためのコードと、
前記少なくとも１つのコンピュータに、前記リソースブロックの複数のシンボル期間においてサブキャリアの複数グループ上で前記複数の変調シンボルを送信させるためのコードと
を備え、
各グループは、少なくとも２個の連続したサブキャリアを含み、
前記少なくとも１つのコンピュータに、データを送信させるための前記コードは、
前記少なくとも１つのコンピュータに、前記複数のシンボル期間に関して複数のシングルキャリア周波数分割多重（ＳＣ−ＦＤＭ）シンボル、各シンボル期間に関して１個のＳＣ−ＦＤＭシンボルを生成させるためのコードと、
前記少なくとも１つのコンピュータに、各ＳＣ−ＦＤＭシンボルを夫々のシンボル期間において送信させるためのコードと
を更に備え、
各ＳＣ−ＦＤＭシンボルは、サブキャリアの１つのグループ上で送信される変調シンボルを備え、
相異なるシンボル期間に関するＳＣ−ＦＤＭシンボルは、相異なるサブキャリアのグループ上で送信される、
コンピュータプログラム。
【請求項１８】
周波数分割多重（ＦＤＭ）を用いてリソースブロックにおいてユーザ装置（ＵＥ）によって送信されたデータを受信することと、
周波数領域符号分割多重（ＣＤＭ）を用いて前記リソースブロックにおいて前記ＵＥによって送信されたパイロットを受信することと
を具備し、
前記データを受信することは、前記リソースブロックの複数のシンボル期間においてサブキャリアの複数グループ上で前記ＵＥによって送信された複数の変調シンボルを受信することを備え、
各グループは、少なくとも２個の連続したサブキャリアを含み、
前記データを受信することは、各シングルキャリア周波数分割多重（ＳＣ−ＦＤＭ）シンボルを夫々のシンボル期間において受信することを更に備え、
前記複数のシンボル期間に関して複数のＳＣ−ＦＤＭシンボル、各シンボル期間に関して１個のＳＣ−ＦＤＭシンボルが生成され、
各ＳＣ−ＦＤＭシンボルは、サブキャリアの１つのグループ上で受信される変調シンボルを備え、
相異なるシンボル期間に関するＳＣ−ＦＤＭシンボルは、相異なるサブキャリアのグループ上で受信される、
無線通信システムにおいてデータ及びパイロットを受信するための方法。
【請求項１９】
所定パターンまたは疑似乱数ホッピングパターンに基づいて前記サブキャリアの複数グループを決定することを更に具備し、
前記複数グループは、周波数ダイバーシチのために前記リソースブロックにおいて異なるサブキャリアを含む、
請求項１８の方法。
【請求項２０】
受信された前記パイロットに基づいてチャネル推定を導出することと、
受信された前記データに関するコヒーレント検出を前記チャネル推定に基づいて実行することと
を更に具備する請求項１８の方法。
【請求項２１】
前記リソースブロックは、複数のシンボル期間において複数のサブキャリアを備え、
前記パイロットを受信することは、前記リソースブロックの少なくとも１つのシンボル期間の各々において前記複数のサブキャリア上で前記ＵＥによってパイロットに関して送信された参照信号系列を受信することを備え、
前記チャネル推定を導出することは、
前記少なくとも１つのシンボル期間の各々において受信された前記参照信号系列を、前記ＵＥによって送信された前記参照信号系列と乗算することと、
乗算結果に基づいて前記チャネル推定を導出することと
を備える、
請求項２０の方法。
【請求項２２】
周波数分割多重（ＦＤＭ）を用いてリソースブロックにおいてユーザ装置（ＵＥ）によって送信されたデータを受信し、周波数領域符号分割多重（ＣＤＭ）を用いて前記リソースブロックにおいて前記ＵＥによって送信されたパイロットを受信するように構成された少なくとも１つのプロセッサを具備し、
前記少なくとも１つのプロセッサは、前記リソースブロックの複数のシンボル期間においてサブキャリアの複数グループ上で前記ＵＥによって送信された複数の変調シンボルを受信するように構成され、
各グループは、少なくとも２個の連続したサブキャリアを含み、
前記少なくとも１つのプロセッサは、各シングルキャリア周波数分割多重（ＳＣ−ＦＤＭ）シンボルを夫々のシンボル期間において受信するように構成され、
前記複数のシンボル期間に関して複数のＳＣ−ＦＤＭシンボル、各シンボル期間に関して１個のＳＣ−ＦＤＭシンボルが生成され、
各ＳＣ−ＦＤＭシンボルは、サブキャリアの１つのグループ上で受信される変調シンボルを備え、
相異なるシンボル期間に関するＳＣ−ＦＤＭシンボルは、相異なるサブキャリアのグループ上で受信される、
無線通信のための装置。
【請求項２３】
前記少なくとも１つのプロセッサは、所定のパターンまたは疑似乱数ホッピングパターンに基づいて前記サブキャリアの複数グループを決定するように構成され、
前記複数グループは、周波数ダイバーシチのために前記リソースブロックにおいて異なるサブキャリアを含む、
請求項２２の装置。
【請求項２４】
前記少なくとも１つのプロセッサは、受信された前記パイロットに基づいてチャネル推定を導出し、受信された前記データに関するコヒーレント検出を前記チャネル推定に基づいて実行するように構成される、請求項２２の装置。
【請求項２５】
前記リソースブロックは、複数のシンボル期間において複数のサブキャリアを備え、
前記少なくとも１つのプロセッサは、
前記リソースブロックの少なくとも１つのシンボル期間の各々において複数のサブキャリア上で前記ＵＥによってパイロットに関して送信された参照信号系列を受信し、前記少なくとも１つのシンボル期間の各々において受信された前記参照信号系列を、前記ＵＥによって送信された前記参照信号系列と乗算し、乗算結果に基づいて前記チャネル推定を導出するように構成される、
請求項２４の装置。
【発明の詳細な説明】
【技術分野】
【０００１】
本願は、「ＣＤＭパイロット及びＦＤＭデータの多重のための方法及び装置（"A METHOD AND APPARATUS FOR MULTIPLEXING OF CDM PILOT AND FDM DATA"）」と題され、２００７年５月７日に出願され、本願の譲受人に譲渡され、本願において参照によって組み込まれる、米国仮特許出願第６０／９１６，３４８について優先権を主張する。
【０００２】
本開示は、一般的には通信に、より具体的には無線通信システムにおけるデータ及びパイロットの送信のための技術に関する。
【背景技術】
【０００３】
無線通信システムは、音声、ビデオ、パケットデータ、メッセージング、放送などの様々な通信コンテンツを提供するために広く展開される。これらの無線システムは、利用可能なシステムリソースを共有することにより複数ユーザをサポートできる多元接続システムであってよい。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、シングルキャリアＦＤＭＡ（ＳＣ−ＦＤＭＡ）システムを含む。
【０００４】
無線通信システムにおいて、ノードＢがダウンリンク上でユーザ装置（ＵＥ）へトラフィックデータを送信し、及び／または、アップリンク上でＵＥからのトラフィックデータを受信するかもしれない。ダウンリンク（または順方向リンク）はノードＢからＵＥへの通信リンクを参照し、アップリンク（または逆方向リンク）はＵＥからノードＢへの通信リンクを参照する。ＵＥは、ノードＢへダウリンクチャネル品質を表示するチャネル品質インジケータ（ＣＱＩ）情報を送信してよい。ノードＢは、ＣＱＩ情報に基づいてレートまたは伝送フォーマットを選択してもよいし、選択されたレートまたは伝送フォーマットでＵＥへトラフィックデータを送信してもよい。ノードＢは、ＵＥへペンディングのトラフィックデータを再送信するか新たなトラフィックデータを送信するかをＡＣＫ情報に基づいて決定するかもしれない。
【発明の概要】
【０００５】
無線通信システムにおいて制御情報（例えば、ＡＣＫ及び／またはＣＱＩ情報）を送信するための技術が、本願において説明される。一態様において、ＵＥは、周波数分割多重（ＦＤＭ）を用いてリソースブロックにおいて制御情報に関するデータを送信してよく、周波数領域符号分割多重（ＣＤＭ）を用いてリソースブロックにおいてパイロットを送信してよい。リソースブロックは、複数のシンボル期間において複数のサブキャリアを備えてよい。ＦＤＭデータに関して、各シンボル期間における各サブキャリアは、データ送信に関して多くとも１つのＵＥによって使用されてよい。周波数領域ＣＤＭパイロットに関して、異なるＵＥからのパイロットは、サブキャリアに亘って適用される異なる直交系列によって区別されてよい。
【０００６】
一設計において、ＵＥは、所定のパターンまたは疑似乱数ホッピングパターンに基づいてリソースブロックの複数のシンボル期間においてデータを送信するために使用するサブキャリアの複数グループを決定してよい。各グループは、ローカライズドＦＤＭをサポートするために連続したサブキャリアを含んでよい。複数グループは、周波数ダイバーシチ及びことによると干渉平均化を提供するために異なるサブキャリアを含んでよい。ＵＥは、複数のシンボル期間においてサブキャリアの複数グループ上で（例えば時間領域において）データに関する変調シンボルを送信してよい。ＵＥは、リソースブロックにおけるパイロットに関する各シンボル期間において複数のサブキャリア上でパイロットに関する参照信号系列を送信してよい。異なるＵＥは良好な相関特性を持つ異なる参照信号系列を割り当てられてよく、各ＵＥはその参照信号系列をパイロットに関する各シンボル期間において複数のサブキャリア上で送信してよい。
【０００７】
本開示の種々の態様及び特徴は、以下に詳細に記述される。
【図面の簡単な説明】
【０００８】
【図１】図１は、無線通信システムを示す。
【図２】図２は、ダウンリンク及びアップリンク送信例を示す。
【図３】図３は、アップリンクに関する伝送構造例を示す。
【図４】図４は、周波数領域ＣＤＭデータ及びパイロットを用いた制御チャネル構造を示す。
【図５】図５は、時間領域ＣＤＭデータ及び周波数領域ＣＤＭパイロットを用いた制御チャネル構造を示す。
【図６Ａ】図６Ａは、ＦＤＭデータ及び周波数領域ＣＤＭパイロットを用いた制御チャネル構造の設計を示す。
【図６Ｂ】図６Ｂは、ＦＤＭデータ及び周波数領域ＣＤＭパイロットを用いた制御チャネル構造の設計を示す。
【図７】図７は、ノードＢ及びＵＥのブロック図を示す。
【図８】図８は、ＵＥにおける送信プロセッサのブロック図を示す。
【図９】図９は、ＵＥにおけるＳＣ−ＦＤＭ変調器のブロック図を示す。
【図１０】図１０は、ノードＢにおけるＳＣ−ＦＤＭ復調器のブロック図を示す。
【図１１】図１１は、ノードＢにおける受信プロセッサのブロック図を示す。
【図１２】図１２は、ＵＥによるデータ及びパイロットの伝送に関する一処理を示す。
【図１３】図１３は、ＵＥによるデータ及びパイロットの伝送に関する別の処理を示す。
【図１４】図１４は、データ及びパイロットの送信のための装置を示す。
【図１５】図１５は、ノードＢによるデータ及びパイロットの受信のための処理を示す。
【図１６】図１６は、データ及びパイロットの受信のための装置を示す。
【発明を実施するための形態】
【０００９】
本願において説明される技術は、ＣＤＭＡ、ＴＤＭＡ、ＦＤＭＡ、ＯＦＤＭＡ、ＳＣ−ＦＤＭＡ及びその他のシステムなどの様々な無線通信システムに関して使用されてよい。「システム（system）」及び「ネットワーク（network）」の用語は、しばしば交換可能に使用される。ＣＤＭＡシステムは、ＵＴＲＡ(Universal Terrestrial Radio Access)、cdma2000などの無線技術を実装してもよい。ＵＴＲＡは、広帯域ＣＤＭＡ（ＷＣＤＭＡ）及びＣＤＭＡのその他の変形を含む。cdma2000は、IS-2000、IS-95及びIS-856標準をカバーする。ＴＤＭＡシステムは、ＧＳＭ（Global System for Mobile Communications）などの無線技術を実装してもよい。ＯＦＤＭＡシステムは、Ｅ−ＵＴＲＡ（Evolved UTRA）、ＵＭＢ（Ultra Mobile Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭ（登録商標）などの無線技術を実装してもよい。ＵＴＲＡ及びＥ−ＵＴＲＡは、ＵＭＴＳ（Universal Mobile Telecommunication System）の一部である。３ＧＰＰのＬＴＥ(Long Term Evolution)は、Ｅ−ＵＴＲＡを用いるＵＭＴＳの来たるリリースであり、これはダウンリンク上でＯＦＤＭＡ及びアップリンク上でＳＣ−ＦＤＭＡを使用する。ＵＴＲＡ、Ｅ−ＵＴＲＡ、ＵＭＴＳ、ＬＴＥ及びＧＳＭは、「３ＧＰＰ（3rd Generation Partnership Project）」と名付けられた組織からの文書に記述されている。cdma2000及びＵＭＢは、「３ＧＰＰ２（3rd Generation Partnership Project 2）」と名付けられた組織からの文書に記述されている。明確さのために、本技術の特定の態様はＬＴＥに関して以下に説明され、以下の記述の大部分においてＬＴＥの用語が使用される。
【００１０】
図１は、複数のノードＢを備えた無線通信システム１００を示す。ノードＢは、ＵＥと通信する固定局であってよく、ｅＮＢ（evolved Node B）、基地局、アクセスポイントなどとして参照されてよい。ＵＥ１２０はシステムの至る所に散らばっていてもよく、各ＵＥは固定されていてもよいし移動可能であってもよい。ＵＥは、移動局、端末、アクセス端末、加入者ユニット、局などとして参照されてもよい。ＵＥは、携帯電話機、ＰＤＡ（personal digital assistant）、無線モデム、無線通信デバイス、ハンドヘルドデバイス、ラップトップコンピュータ、コードレス電話機などであってもよい。
【００１１】
図２は、ノードＢによるダウンリンク送信例及びＵＥによるアップリンク送信例を示す。送信タイムラインは、サブフレーム単位で分割されてよく、各サブフレームは所定の持続時間、例えば１ミリ秒（ｍｓ）を持つ。ＵＥは、ノードＢに関してダウンリンクチャネル品質を周期的に推定してもよく、ノードＢへＣＱＩチャネル上でＣＱＩ情報を送信してもよい。ノードＢは、ダウンリンク伝送のためのＵＥを選択するために、及び、ＵＥに関して適切な伝送フォーマット（例えば、変調及び符号化方式）を選択するために、ＣＱＩ情報及び／またはその他の情報を使用してよい。ノードＢは、符号語を得るために伝送ブロックを処理してよい。ノードＢは、ＵＥへ、物理ダウンリンク共有チャネル（ＰＤＳＣＨ）上で符号語のトランスミッションを送信してよく、物理ダウンリンク制御チャネル（ＰＤＣＣＨ）上で対応する制御情報を送信してもよい。ＵＥは、ノードＢからの符号語のトランスミッションを処理してよく、ＡＣＫチャネル上でＡＣＫ情報を送信してもよい。ＡＣＫ及びＣＱＩチャネルは、物理アップリンク制御チャネル（ＰＵＣＣＨ）の一部であってよい。ＡＣＫ情報は、符号語が正しく復号化されたならばＡＣＫを、または、符号語が誤って復号化されたならばネガティブアクナリッジメント（ＮＡＫ）を備えてよい。ノードＢは、ＮＡＫが受信されたならばそのコードワードの別のトランスミッションを送信してもよく、ＡＣＫが受信されたならば新たなコードワードのトランスミッションを送信してもよい。図２は、ＡＣＫ情報が２サブフレームだけ遅延する例を示す。ＡＣＫ情報は、いくらかの他の量だけ遅延してもよい。
【００１２】
ＬＴＥの用語は、ダウンリンク上で直交周波数分割多重（ＯＦＤＭ）及びアップリンク上でシングルキャリア周波数分割多重（ＳＣ−ＦＤＭ）を利用する。ＯＦＤＭ及びＳＣ−ＦＤＭは、システム帯域幅を複数（Ｋ個）の直交サブキャリアに分割し、これらの直交サブキャリアはトーン、ビンなどとして一般に参照される。ＬＴＥにおいて、隣接するサブキャリア間の間隔は固定されており、サブキャリアの総数（Ｋ）はシステム帯域幅に依存する。各サブキャリアはデータを用いて変調されてよい。一般には、変調シンボルは、ＯＦＤＭを用いて周波数領域で、及び、ＳＣ−ＦＤＭを用いて時間領域で送信されてよい。
【００１３】
図３は、アップリンクに関して使用されてよい伝送構造３００の設計を示す。各サブフレームは、２個のスロットに分割されてよい。各スロットは、固定または設定可能な数のシンボル期間、例えば、拡張サイクリックプレフィックスに関して６個のシンボル期間または通常のサイクリックプレフィックスに関して７個のシンボル期間を含んでよい。
【００１４】
アップリンクに関する利用可能な時間周波数リソースは、リソースブロックに分割されてよい。リソースブロックは、Ｍ個のシンボル期間におけるＮ個のサブキャリアのブロックを備えており、一般にはＮ及びＭは夫々任意の整数値である。ＬＴＥに関して、リソースブロックは６または７個のシンボル期間である１スロットにおけるＮ＝１２個のサブキャリアを含む。リソースブロックは、タイル、時間周波数ブロックなどとして参照されてもよい。
【００１５】
アップリンクに関して利用可能なリソースブロックは、データセクション及び制御セクションに分割されてよい。制御セクションは、図３に示されるように、システム帯域幅の両端に形成されてよい。制御セクションは、設定可能なサイズを持ってよく、これはＵＥによってアップリンク上で送信される制御情報の量に基づいて選択されてよい。制御セクションにおけるリソースブロックは、ＡＣＫ情報、ＣＱＩ情報などの送信のためにＵＥに割り当てられてよい。データセクションは、制御セクションに含まれない全てのリソースブロックを含んでよい。一般には、利用可能なリソースブロックの任意のサブセットが制御情報を送信するために使用されてよく、残りのリソースブロックがトラフィックデータを送信するために使用されてよい。
【００１６】
ＵＥは、ノードＢへＡＣＫ及び／またはＣＱＩ情報を送信するための、制御セクションにおけるリソースブロックが割り当てられるかもしれない。ＡＣＫ情報は、ノードＢによってＵＥへ送信された各伝送ブロックが正しくまたは誤って復号されたかどうかを伝達するかもしれない。ＣＱＩ情報は、ノードＢに関してＵＥによって推定されたダウンリンクチャネル品質を伝達するかもしれない。
【００１７】
本願において説明される技術は、種々の制御及びデータチャネルに関して使用されてよい。明確さのために、ＣＱＩチャネルに関して本技術の特定の態様が以下に説明される。一設計において、ＣＱＩチャネルはＣＱＩ情報のみをまたはＡＣＫ及びＣＱＩ情報の両方を搬送してよい。一設計において、ＣＱＩチャネルは、１つのリソースブロック対において８、９または１０個の情報ビットを搬送してよい。一般には、ＣＱＩチャネルは、ＣＱＩ及び／またはその他の情報を搬送してよく、任意の数の情報ビットを搬送してよい。
【００１８】
異なるＵＥからの複数のＣＱＩチャネルは、リソース利用を改善するために同一のリソースブロック対に多重される。多重は、周波数領域ＣＤＭ、時間領域ＣＤＭ、ＦＤＭ及び／またはその他の多重方式を用いて達成される。周波数領域ＣＤＭに関して、異なるＵＥからのトランスミッションは、サブキャリアを亘って適用される異なる直交系列によって区別されるだろう。時間領域ＣＤＭに関して、異なるＵＥからのトランスミッションは、シンボル期間を亘って適用される異なる直交系列によって区別されるだろう。直交系列は、ウォルシュ系列、離散フーリエ変換（ＤＦＴ）行列から得られる系列、ＣＡＺＡＣ（constant amplitude zero auto correlation）系列または良好な相関特性を持つ何らかの他の系列であってよい。ＦＤＭに関して、異なるＵＥからのトランスミッションは、各サブキャリアが多くとも１個のＵＥによって使用されるよう、異なるサブキャリア上で送信される。
【００１９】
図４は、周波数領域ＣＤＭデータ及びパイロットを用いた制御チャネル構造４００の設計を示す。一設計において、各サブフレームに関して、左スロットは７個のシンボル期間０から６までを含み、右スロットは７個のシンボル期間７から１３までを含む。異なるＵＥからのＣＱＩチャネルの組は、（ｉ）図４に示されるような、左スロットの最上段の制御セクションにおける１個のリソースブロック及び右スロットの最下段の制御セクションにおける１個のリソースブロック、または、（ｉｉ）左スロットの最下段の制御セクションにおける１個のリソースブロック及び右スロットの最上段の制御セクションにおける１個のリソースブロック（図４の斜めのハッシングを用いて示される）のどちらかを含み得るリソースブロック対に多重されてよい。図４に示される設計において、ＣＱＩのための各リソースブロックは、データのための５個のシンボル期間及びパイロットのための２個のシンボル期間を含む。ＣＱＩチャネルに関するデータ及びパイロットは、リソースブロック内で他の方法（例えば、他の位置）で送信されてよい。例えば、パイロットは、シンボル期間１及び５において送信されてよく、データはシンボル期間０、２、３、４及び６において送信されてよい。
【００２０】
ＣＱＩチャネルに関するデータ及びパイロットは、様々な方法で送られてよい。周波数領域ＣＤＭの一設計において、データ及びパイロットは良好な相関特性を持つ参照信号系列を用いて送信されてよい。参照信号系列の組はベース系列を用いて生成されてよく、これは（ｉ）Ｃｈｕ系列、Ｚａｒｄｏｆｆ−Ｃｈｕ系列、Ｆｒａｎｋ系列またはＧＣＬ系列（generalized chirp-like）、または、（ｉｉ）良好な相関特性を持つように定義された系列であってよい。
【００２１】
一設計において、長さＮ＝１２の６個の参照信号系列が、以下のように、長さ１２のベース系列の６個の異なるサイクリックシフトを用いて生成される。  
【数１】
0005730567.tif 000002
【００２２】
ここで、ｒｂ（ｎ）はベース系列であり、ｎはシンボルインデックスであり、ｒα（ｎ）はαのサイクリックシフトを用いた参照信号系列であり、「ｍｏｄ」はモジュロ演算を意味する。
【００２３】
６個の参照信号系列は、互いに直交してよく（即ち、零または低い相互相関を持つ）、周波数領域ＣＤＭに関する１シンボル期間においてＮ個のサブキャリアの組で同時に送信されてよい。６個までのＵＥが、６個までの異なる参照信号系列を割り当てられてよい。各ＵＥは、その割り当てられた参照信号系列を用いてデータ及びパイロットを送信してよい。異なるＵＥは、それらのデータ及びパイロットを同一のリソースブロック対で送信してよく、それらのトランスミッションは周波数領域における参照信号系列の分割により区別されてよい。
【００２４】
ＵＥは、周波数領域ＣＤＭに関するデータ及びパイロットを以下のように処理してよい。データに関して、ＵＥは、符号ビットを得るために情報ビットを符号化してよく、これらの符号ビットを１０個の変調シンボルｄ（０）からｄ（９）までにマッピングする。ＵＥは、以下のように、その参照信号系列ｒ（ｎ）を各変調シンボルｄ（ｍ）を用いて変調してよい。  
【数２】
0005730567.tif 000003
【００２５】
ここでｃｍ（ｎ）はシンボル期間ｍに関するデータ系列である。ＵＥは、１０個の変調シンボルｄ（０）からｄ（９）に関して１０個のデータ系列ｃ０（ｎ）からｃ９（ｎ）を夫々生成してよい。ＵＥは、例えば図４に示されるように、１個のリソースブロック対の１０個のシンボル期間においてこれら１０個のデータ系列を送信してよい。
【００２６】
パイロットに関して、ＵＥはその参照信号系列ｒ（ｎ）をパイロット系列として直接使用してよい。ＵＥは、例えば図４に示されるように、その参照信号系列をパイロットに関する各シンボル期間において送信してよい。
【００２７】
図４に示される設計に関して、異なるＵＥからのデータ及びパイロットのトランスミッションは、周波数領域ＣＤＭを得るために同一のベース系列の異なるサイクリックシフトによって多重される。６個までのＵＥが、６個までの異なる参照信号系列を用いて１個のリソースブロック対内で多重されてよい。各ＵＥは、リソースブロック対の１０個のシンボル期間において１０個の変調シンボルを送信してよい。寸法の限界により、データに関するコードレートは、１０個よりも多くの情報ビットである大きなペイロードサイズのために高くなってもよい。
【００２８】
図５は、時間領域ＣＤＭデータ及び周波数領域ＣＤＭパイロットを用いた制御チャネル構造５００の設計を示す。時間領域ＣＤＭデータの一設計において、ＵＥはそのデータを直交系列を用いて複数シンボル期間に亘って散らばらせてよい。直交系列の組は、ウォルシュ行列、ＤＦＴ行列などに基づいて生成されてよい。各ＵＥは、異なる直交系列を割り当てられてよい。複数のＵＥは、それらのデータを異なる直交系列を用いて同一のリソースブロック対において同時に送ってよい。これらのＵＥからのデータトランスミッションは、時間領域における直交系列を用いた散らばりによって区別される。
【００２９】
ＵＥは、以下のように時間領域ＣＤＭに関するデータを処理してよい。ＵＥは、符号ビットを得るために情報ビットを符号化してよく、符号ビットを変調シンボルにマッピングしてよい。ＵＥは、左スロットのリソースブロックにおいて変調シンボルの半分を、及び、右スロットのリソースブロックにおいて変調シンボルの他の半分を送信してよい。ＵＥは、以下のように、１個のリソースブロックに亘って各変調シンボルｄ（ｋ）を散らばらせてよい。  
【数３】
0005730567.tif 000004
【００３０】
ここで、ｗ（ｍ）はデータに関してＵＥに割り当てられた直交系列であり、ｚｋ（ｍ）はサブキャリアｋに関するデータ系列である。
【００３１】
ＵＥは、左スロットのリソースブロックに関して１２個の変調シンボルに関して１２個のデータ系列ｚ０（ｍ）からｚ１１（ｍ）を生成してよく、右スロットのリソースブロックに関して１２個の他の変調シンボルに関して１２個のデータ系列ｚ１２（ｍ）からｚ２３（ｍ）を生成してもよい。ＵＥは、例えば図５に示されるように、１個のリソースブロックにおいてデータに関する全てのシンボル期間に亘って１個のサブキャリアで各データ系列を送信してよい。
【００３２】
パイロットに関して、ＵＥは、参照信号系列ｒ（ｎ）を割り当てられてよく、それをパイロット信号として直接使用してよい。ＵＥは、図４に関して前述のように、パイロットに関して参照信号系列を送ってよい。
【００３３】
図５に示される設計に関して、異なるＵＥからのデータトランスミッションは、時間領域ＣＤＭを得るために異なる直交系列によって分割される。異なるＵＥからのパイロットトランスミッションは、周波数領域ＣＤＭを得るために同一のベース系列の異なるサイクリックシフトによって多重される。図５における設計は、大きなペイロードに関して図４における設計よりも良好な性能を提供する。しかしながら、時間領域の直交性は高速に時間変化するチャネルについて有効でないかもしれないので、性能が高速な状態において劣化するかもしれない。更に、１個のリソースブロック対に多重可能なＵＥの数は、各スロットにおけるデータに関するシンボル期間の数に等しいであろうデータに関する直交系列の数によって制限されるだろう。図５に示される設計に関して、５個の直交系列が、定義されてよく、５個までのＵＥへ割り当てられてよい。
【００３４】
図６Ａは、ＦＤＭデータ及び周波数領域ＣＤＭパイロットを用いた制御チャネル構造６００の設計を示しており、これはハイブリッドＦＤＭ  ＣＤＭ構造としても参照される。ＦＤＭデータの一設計において、各シンボル期間におけるＮ個のサブキャリアは、複数グループに分割されてよい。各グループは、ＬＦＤＭ（localized FDM）伝送をサポートするための連続したサブキャリアを含み、これはより低いＰＡＲ（peak-to-average power ratio）を有し、故に好適である。各シンボル期間におけるサブキャリアの複数グループは、各サブキャリアが多くとも１個のＵＥによってデータを送信するために使用されるよう、異なるＵＥに割り当てられてよい。各ＵＥは、当該ＵＥに割り当てられたサブキャリアの各グループで変調シンボルを送信してよい。
【００３５】
図６Ａにおいて示される設計では、各シンボル期間における１２個のサブキャリアは２個の連続したサブキャリアである６個のグループに分割される。グループ０は、サブキャリア０及び１を含み、グループ１はサブキャリア２及び３を含み、等々、グループ５はサブキャリア１０及び１１を含む。各シンボル期間におけるサブキャリアの６個のグループは、６個の異なるＵＥに割り当てられよい。一般には、各グループはＬ個の連続したサブキャリアを含み、ここでＬは任意の整数値であってよい。
【００３６】
一設計において、ＵＥは異なるシンボル期間においてサブキャリアの異なるグループに割り当てられてよく、これは周波数ダイバーシチを提供する。一設計において、サブキャリアの異なるグループが、所定パターンに基づく体系的な方法で選択されてよい。図６Ａに示される設計において、ＵＥは、（ラップアラウンドを用いて）サブキャリアの連続して増加するグループにシンボル期間を亘って割り当てられてよい。例えば、ＵＥは、シンボル期間０においてグループ０のサブキャリア０及び１、シンボル期間２においてグループ１のサブキャリア２及び３、等々、シンボル期間６においてグループ４のサブキャリア８及び９に割り当てられてよい。ＵＥは、何らかの他の所定パターンに基づいて異なるシンボル期間において異なるサブキャリアのグループに割り当てられてもよい。
【００３７】
図６Ｂは、ＦＤＭデータ及び周波数領域ＣＤＭパイロットに関して疑似乱数ホッピングを用いた制御チャネル構造６１０の設計を示す。この設計において、ＵＥは疑似乱数の方法で選択され得る異なるサブキャリアのグループが割り当てられてよい。一設計において、ホッピングパターンは、各シンボル期間におけるサブキャリアのグループを疑似乱数的に選択してよい。異なるＵＥは、ホッピングパターンからの異なるオフセットを割り当てられてよい。各ＵＥは、リソースブロック対を共有する全てのＵＥに関して共通のホッピングパターン及び当該ＵＥに関するオフセットに基づいて各シンボル期間において割り当てられたグループを以下のように判定してよい。  
【数４】
0005730567.tif 000005
【００３８】
ここでｈ（ｍ）はホッピングパターンであり、ｏｕはＵＥｕに割り当てられたオフセットであり、Ｇはサブキャリアのグループの数であり、ｈｕ（ｍ）はシンボル期間ｍにおいてＵＥｕに割り当てられたサブキャリアのグループを表示する。
【００３９】
図６Ｂにおける疑似乱数ホッピングは、干渉平均化だけでなく周波数ダイバーシチを提供するだろう。異なるセルは、疑似乱数であり得る、互いに関して異なるホッピングパターンを使用してよい。各ＵＥは隣接セルにおける他のＵＥからのランダム化された干渉を観測するかもしれず、これは性能を改善するかもしれない。
【００４０】
別の設計において、ＵＥはリソースブロックの全てのシンボル期間に関して同一のサブキャリアのグループを割り当てられてよい。グループは、連続または不連続のサブキャリアを含んでよい。
【００４１】
図６Ａ及び図６Ｂは、ＦＤＭデータの２つの設計を示す。一般には、リソースブロックは、任意の数のサブキャリアのグループに分割されてよい。各グループは、任意の数のサブキャリアを含んでよく、リソースブロック内のどこへでも位置してよい。異なるグループは、同一または異なる数のサブキャリアを含んでよい。分割は、各サブキャリアが多くとも１個のグループにあるようなものでもよい。異なるＵＥは、異なるサブキャリアのグループを割り当てられてよい。各シンボル期間において、異なるＵＥは、それらのデータを異なるサブキャリアで送信してよく、それから周波数分割多重されるだろう。
【００４２】
周波数領域ＣＤＭパイロットが、図６Ａ及び図６Ｂに示されるように、ＦＤＭデータと併せて使用されてよい。周波数領域ＣＤＭパイロットの一設計において、各ＵＥは、図４に関して前述のように、異なる参照信号系列を割り当てられてよく、それをパイロット系列として直接使用してよい。異なるＵＥからのパイロットのトランスミッションは、周波数領域における参照信号系列の分割によって区別されてよい。ノードＢは、ＵＥから受信した参照信号系列に基づいて、各ＵＥに関するリソースブロックにおける全てのＮ個のサブキャリアに関するチャネル利得推定を導出してよい。ノードＢは、どのサブキャリアがデータを送信するためにＵＥによって使用されるかに関わらず、ＵＥによって送信されるデータのコヒーレント検出のために各ＵＥに関するチャネル利得推定を使用してよい。周波数領域ＣＤＭパイロットは、他の方法で実装されてもよい。
【００４３】
ＦＤＭデータ及び周波数領域ＣＤＭパイロットを用いる、図６Ａ及び図６Ｂにおける設計は、様々な利点を提供する。第一に、異なるＵＥからのデータトランスミッションが周波数分割多重されるが、これは図４の設計における寸法の限界を解決する。ＦＤＭは、大きなペイロードの効率的な送信を可能とするだろう。第二に、各ＵＥは、周波数ダイバーシチ及びことによると干渉平均化を得るために、（例えば、体系的または疑似乱数ホッピングを用いて）異なるシンボル期間における異なるサブキャリアを割り当てられてよい。第三に、各ＵＥは、ＬＦＤＭ伝送をサポートするために各シンボル期間において連続したサブキャリアを割り当てられてよく、これはより低いＰＡＲを提供するかもしれない。第四に、周波数領域ＣＤＭパイロットは、リソースブロックにおける全てのＮ個のサブキャリアに関するチャネル推定をサポートするかもしれない。これは、ホッピングについてもデータのコヒーレント検出を可能とするだろう。計算機シミュレーションは、ＦＤＭデータ及び周波数領域ＣＤＭパイロットを用いる図６Ａ及び図６Ｂの設計が、時間領域ＣＤＭデータ及び周波数領域ＣＤＭパイロットを用いる図５の設計だけでなく周波数領域ＣＤＭデータ及びパイロットを用いる図４の設計よりも良好な性能を提供し得ることを示唆している。
【００４４】
ハイブリッドＦＤＭ  ＣＤＭ構造は、前述のように、ＣＱＩチャネルに関して使用されてよい。ハイブリッドＦＤＭ  ＣＤＭ構造は、ＡＣＫチャネル、電力制御チャネル、フィードバックチャネルなどの他の制御チャネルに関して使用されてもよい。ハイブリッドＦＤＭ  ＣＤＭ構造は、同時に送信される複数の制御チャネルに関して使用されてもよい。例えば、ＵＥは、図２に示されるように、ＣＱＩチャネルのみ、またはＡＣＫチャネルのみ、または、ＡＣＫ及びＣＱＩチャネルの両方を送信してよい。ＵＥは、ハイブリッドＦＤＭ  ＣＤＭ構造を用いて同一のリソースブロックでＡＣＫ及びＣＱＩチャネルの両方を容易に多重するだろう。例えば、一部のサブキャリアがＣＱＩチャネルに割り当てられてよく、追加的なサブキャリアがＡＣＫチャネルに割り当てられてもよい。
【００４５】
図７は、ノードＢ１１０及びＵＥ１２０の設計のブロック図を示しており、これらは図１におけるノードＢの１つとＵＥの１つである。この設計において、ＵＥ１２０はＴ個のアンテナ７３２ａから７３２ｔまでを備え、ノードＢ１１０はＲ個のアンテナ７５２ａから７５２ｒまでを備えており、ここで一般的にはＴ≧１かつＲ≧１である。
【００４６】
ＵＥ１２０において、送信プロセッサ７２０は、データソース７１２からトラフィックデータを受信し、トラフィックデータを処理（例えば、符号化及びシンボルマッピング）し、トラフィックデータに関する変調シンボルを提供してよい。送信プロセッサ７２０は、コントローラ／プロセッサ７４０から制御データ（ＡＣＫ及び／またはＣＱＩ情報）を受信し、制御データを前述のように処理し、制御データに関する変調シンボルを提供してよい。送信プロセッサ７２０は、パイロットシンボル（例えば、パイロット系列に関する）を生成し、トラフィック及び制御データに関する変調シンボルを用いてパイロットシンボルを多重してよい。
【００４７】
多入力多出力（ＭＩＭＯ）プロセッサ７２２は、送信プロセッサ７２０からのシンボルを処理し（例えばプリコード）し、Ｔ個の出力シンボルストリームをＴ個の変調器（ＭＯＤ）７３０ａから７３０ｔまでに提供してよい。ＭＩＭＯプロセッサ７２２は、ＵＥが単一のアンテナを備えるならば省略されてよい。各変調器７３０は、その出力シンボルストリーム（例えばＳＣ−ＦＤＭに関する）を、出力サンプルストリームを得るために処理してよい。各変調器７３０は、その出力サンプルストリームを、アップリンク信号を生成するために更に調整（例えば、アナログへ変換、フィルタリング、増幅及びアップコンバート）する。変調器７３０ａから７３０ｔまでからのＴ個のアップリンク信号は、Ｔ個のアンテナ７３２ａから７３２ｔまでを介して夫々送信されてよい。
【００４８】
ノードＢ１１０において、アンテナ７５２ａから７５２ｒまでは、ＵＥ１２０及び／またはその他のＵＥからのアップリンク信号を受信してよい。各アンテナ７５２は、夫々の復調器（ＤＥＭＯＤ）７５４に受信信号を提供してよい。各復調器７５４は、サンプルを得るために受信信号を調整（例えば、フィルタリング、増幅、ダウンコンバート、デジタル化）してよく、受信シンボルを得るためにサンプル（例えば、ＳＣ−ＦＤＭに関する）を更に処理してよい。ＭＩＭＯ検出器７５６は、全てのＲ個の復調器７５４ａから７５４ｒまでからの受信シンボルにＭＩＭＯ検出を行い、検出シンボルを提供してよい。受信プロセッサ７６０は、検出シンボルを処理（例えば、復調及び復号）し、復号トラフィックデータをデータシンク７６２に提供し、復号制御データをコントローラ／プロセッサ７７０に提供してよい。一般には、ＭＩＭＯ検出器７５６及び受信プロセッサ７６０による処理は、ＵＥ１２０におけるＭＩＭＯプロセッサ７２２及び送信プロセッサ７２０による処理と夫々相補的である。
【００４９】
ノードＢ１１０は、トラフィックデータ及び制御データをダウンリンク上でＵＥ１２０へ送信してよい。データソース７７８からのトラフィックデータ及び／またはコントローラ／プロセッサ７７０からの制御データは、送信プロセッサ７８０によって処理され、Ｒ個の出力シンボルストリームを得るためにＭＩＭＯ検出器７８２によって更に処理されてよい。Ｒ個の変調器７５４ａから７５４ｒまでは、Ｒ個の出力サンプルストリームを得るためにＲ個の出力シンボルストリーム（例えば、ＯＦＤＭに関する）を処理してよく、Ｒ個のダウンリンク信号を得るために出力サンプルストリームを更に調整してよく、これらはＲ個のアンテナ７５２ａから７５２ｒまでを介して送信されてよい。ＵＥ１２０において、ＵＥ１２０へ送信されたトラフィックデータ及び制御データを復元するために、ノードＢ１１０からのダウンリンク信号は、アンテナ７３２ａから７３２ｔまでによって受信され、復調器７３０ａから７３０ｔまでによって調整及び処理され、ＭＩＭＯ検出器７３６（適用可能であれば）及び受信プロセッサ７３８によって更に処理されてよい。受信プロセッサ７３８は、復号トラフィックデータをデータシンク７３９へ提供し、復号制御データをコントローラ／プロセッサ７４０へ提供してよい。
【００５０】
コントローラ／プロセッサ７４０及び７７０は、ＵＥ１２０及びノードＢ１１０におけるオペレーションを指示してよい。メモリ７４２及び７７２は、ＵＥ１２０及びノードＢ１１０に関するデータ及びプログラムコードを夫々保存してよい。スケジューラ７７４は、ダウンリンク及び／またはアップリンク上でのデータ伝送に関してＵＥをスケジュールしてよく、スケジュールされたＵＥへリソースを割り当ててよい。スケジューラ７７４は、制御情報、例えばＡＣＫ及び／またはＣＱＩ情報の伝送に関してＵＥへ制御リソースを割り当ててもよい。制御リソースは、リソースブロック、参照信号系列、疑似雑音ホッピングに関するオフセットなどを包含してよい。
【００５１】
図８は、制御データ、例えばＡＣＫ及び／またはＣＱＩ情報のための送信プロセッサ８２０の設計のブロック図を示す。送信プロセッサ８２０は、図６Ａ及び図６Ｂに示されるハイブリッドＦＤＭ  ＣＤＭ構造をサポートしており、図７のＵＥ１２０における送信プロセッサ７２０の一部であってよい。送信プロセッサ８２０内で、ユニット８２２がＵＥ１２０へ割り当てられたサイクリックシフトインデックスを受信し、サイクリックシフトインデックスに基づいて参照信号系列を生成してよい。符号化器８２４は、制御データ（例えばＡＣＫ及び／またはＣＱＩ情報に関する）を受信及び符号化し、符号ビットを提供してよい。シンボルマッパ８２６は、符号ビットを変調シンボルにマッピングしてよい。マルチプレクサ（Ｍｕｘ）８２８は、例えば図６Ａ及び図６Ｂに示されるように、パイロットに関する各シンボル期間において参照信号系列を供給してよく、データに関する各シンボル期間において変調シンボルの適切なグループを供給してよい。
【００５２】
図９は、ＳＣ−ＦＤＭ変調器９３０の設計のブロック図を示しており、これは図７のＵＥ１２０における変調器７３０ａから７３０ｔまでの夫々に関して使用され得る。パイロットに関する各シンボル期間において、ＤＦＴユニット９３２は、Ｎ個のシンボルを包含する参照信号系列を受信し、Ｎ個のシンボルにＮ点ＤＦＴを実行し、Ｎ個の周波数領域値を供給してよい。シンボル−サブキャリアマッパ９３４は、ＵＥ１２０に割り当てられたリソースブロック内のＮ個のサブキャリアにＮ個の周波数領域値をマッピングしてよく、残りのサブキャリアに零値をマッピングしてよい。データに関する各シンボル期間において、ＤＦＴユニット９３２は、データに関するＬ個の変調シンボル（例えば、図６Ａ及び図６Ｂに示される設計に関してＬ＝２）を受信し、Ｌ点ＤＦＴをＬ個の変調シンボルに実行し、Ｌ個の周波数領域値を供給する。シンボル−サブキャリアマッパ９３４は、データに関してＵＥ１２０に割り当てられたＬ個のサブキャリアにＬ個の周波数領域値をマッピングしてよく、残りのサブキャリアに零値をマッピングしてよい。Ｌ個のサブキャリアは、例えば図６Ａ及び図６Ｂに示されるように、シンボル期間毎に変化してもよい。
【００５３】
各シンボル期間において、逆高速フーリエ変換（ＩＦＦＴ）ユニット９３６は、Ｋ個の総サブキャリアに関するＫ個のマッピングされた値にＫ点ＩＦＦＴを実行し、有効部に関するＫ個の時間領域サンプルを供給する。サイクリックプレフィックス生成器９３８は、有効部の最後のＣ個のサンプルをコピーし、Ｋ＋Ｃ個のサンプルを包含するＳＣ−ＦＤＭシンボルを形成するためにこれらＣ個のサンプルを有効部の先頭に付加してよい。ＳＣ−ＦＤＭシンボルは１個のシンボル期間に送られてよく、これはＫ＋Ｃ個のサンプル期間を含んでよい。
【００５４】
図１０は、ＳＣ−ＦＤＭ復調器の設計のブロック図を示しており、これは図７のノードＢ１１０における復調器７５４ａから７５４ｒまでの夫々に関して使用され得る。各シンボル期間において、サイクリックプレフィックス除去ユニット１０５２は、ＳＣ−ＦＤＭシンボルに関するＫ＋Ｃ個の受信サンプルを獲得し、サイクリックプレフィックスに相当するＣ個の受信サンプルを除去し、有効部に関するＫ個の受信サンプルを供給してよい。高速フーリエ変換（ＦＦＴ）ユニット１０５４は、Ｋ個の受信サンプルにＫ点ＦＦＴを実行し、Ｋ個の総サブキャリアに関するＫ個の周波数領域値を供給してよい。パイロットに関する各シンボル期間において、シンボル−サブキャリアデマッパ１０５６は、ＵＥ１２０に割り当てられたリソースブロックにおけるＮ個のサブキャリアからＮ個の周波数領域値を供給してよく、残りの周波数領域値を破棄してよい。データに関する各シンボル期間において、シンボル−サブキャリアデマッパ１０５６は、データに関してＵＥ１２０に割り当てられたＬ個のサブキャリアからＬ個の周波数領域値を供給してよく、残りの周波数領域値を破棄してよい。
【００５５】
図１１は、制御データ、例えばＡＣＫ及び／またはＣＱＩ情報に関する受信プロセッサ１１６０の設計のブロック図を示す。受信プロセッサ１１６０は、図６Ａ及び図６Ｂに示されるハイブリッドＦＤＭ  ＣＤＭ構造をサポートしており、図７のノードＢ１１０における受信プロセッサ７６０の一部であってよい。受信プロセッサ１１６０内で、デマルチプレクサ（Ｄｅｍｕｘ）１１６２は、ＵＥ１２０に割り当てられたリソースブロック対からパイロット及びデータに関する周波数領域値を獲得してよい。デマルチプレクサ１１６２は、パイロットに関する周波数領域値をチャネル推定器１１６４に供給してよく、データに関する周波数領域値をコヒーレント検出器１１７０に供給してよい。
【００５６】
チャネル推定器１１６４は、リソースブロックからのパイロットに関する周波数領域値に基づいて各リソースブロックにおけるＮ個のサブキャリアに関する１個または複数のチャネル推定を導出する。一設計において、チャネル推定器１１６４は、リソースブロックからのパイロットに関する全ての周波数領域値に基づいて各リソースブロックに関するチャネル推定を導出してよい。この設計は、例えば低移動性などの、低速に変化するチャネルに関して使用されてよい。別の設計において、チャネル推定器１１６４は、リソースブロックからのパイロットに関する周波数領域値に基づいて（例えば、補間によって）各リソースブロックにおける各シンボル期間に関するチャネル推定を導出してよい。この設計は、例えば高移動性などの、高速に変換するチャネルに関して使用されてよい。任意の場合において、コヒーレント検出器１１７０は、適切なチャネル推定を用いて各シンボル期間においてデータに関するＬ個の周波数領域値にコヒーレント検出を実行し、Ｌ個の検出値を供給してよい。逆ＤＦＴ（ＩＤＦＴ）ユニット１１７２は、Ｌ点ＩＤＦＴをＬ個の検出値に実行し、データに関するＬ個の受信シンボルを供給してよい。ユニット１１７４は、データに関する受信シンボルに基づいて符号ビットに関する対数尤度比（ＬＬＲ）を計算してよい。復号器１１７６は、リソースブロック対におけるデータに関する全ての受信シンボルに関するＬＬＲを復号化し、復号データを供給してよい。
【００５７】
一般には、ノードＢ１１０は、周波数領域において（例えば図１１に示されるように）、または、時間領域において（図１１に示されていない）、コヒーレント検出を実行してよい。ノードＢ１１０は、複数のアンテナ７５２ａから７５２ｒまでを介してＵＥ１２０からデータ及びパイロットを受信してもよい。この場合には、ノードＢ１１０は、例えば図１１のコヒーレント検出器１１７０の後に、複数のアンテナからの結果を組み合わせる。
【００５８】
図１２は、無線通信システムにおけるデータ及びパイロットの送信のための処理１２００の設計を示す。処理１２００は、ＵＥによって（以降に説明されるように）、または、何らかの他のエンティティーによって実行されてよい。ＵＥは、ＦＤＭを用いてリソースブロックにおいてデータを送信してよい（ブロック１２１０）。ＵＥは、周波数領域ＣＤＭを用いてリソースブロックにおいてパイロットを送ってよい（ブロック１２２０）。リソースブロックは、複数（例えば６個または７個）のシンボル期間における複数（例えば１２個）のサブキャリアを包含してよい。各シンボル期間における各サブキャリアは、データ送信に関して多くとも１個のＵＥによって使用されてよい。データは、ＣＱＩ情報、ＡＣＫ情報及び／または他の情報を包含してよい。
【００５９】
図１３は、データ及びパイロットの送信のための処理１３００の設計を示す。処理１３００は、図１２における処理１２００の一設計である。図１３におけるブロック１３１０から１３１８は図１２におけるブロック１２１０の一設計であり得る。図１３におけるブロック１３２０は図１２におけるブロック１２２０の一設計であり得る。
【００６０】
ＵＥは、データに関する複数の変調シンボルを生成してよい（ブロック１３１０）。ＵＥは、所定パターン（例えば、図６Ａに示されるように）または疑似乱数ホッピングパターン（例えば、図６Ｂに示されるように）に基づいてリソースブロックの複数のシンボル期間においてデータを送信するために使用するサブキャリアの複数グループを決定する（ブロック１３１２）。各グループは、ローカライズドＦＤＭをサポートするために少なくとも２個（例えば２個）の連続したサブキャリアを含んでよい。この複数のグループは、周波数ダイバーシチ及びことによると干渉平均化を提供するために異なるサブキャリアを含んでよい。複数のグループは、例えば図６Ａに示されるように、複数のシンボル期間に亘って（ラップアラウンドを用いて）連続的に増加するサブキャリアを含んでよい。任意の場合において、ＵＥは、リソースブロックの複数のシンボル期間におけるサブキャリアの複数グループ上で（例えば時間領域において）複数の変調シンボルを送信してよい（ブロック１３１４）。ＵＥは、複数のシンボル期間に関して複数のＳＣ−ＦＤＭシンボル、各シンボル期間に関して１個のＳＣ−ＦＤＭシンボルを生成してよい。各ＳＣ−ＦＤＭシンボルは、サブキャリアの１個のグループ上で送信される変調シンボルを包含してよい。ＵＥは、夫々のシンボル期間において各ＳＣ−ＦＤＭシンボルを送信してよい（ブロック１３１８）。
【００６１】
ＵＥは、リソースブロックの少なくとも１つのシンボル期間の各々において複数のサブキャリア上でパイロットに関する参照信号系列を送信してよい（ブロック１３２０）。少なくとも１つの他の参照信号系列が、少なくとも１つのシンボル期間の各々において複数のサブキャリア上で少なくとも１つの他のＵＥによってパイロットに関して送信されてよい。少なくとも１つの他のＵＥによって使用される参照信号系列は、例えば数式（１）に示されるように、ベース系列の異なるサイクリックシフトであってよい。
【００６２】
図１４は、無線通信システムにおいてデータ及びパイロットを送信するための装置１４００の設計を示す。装置１４００は、ＦＤＭを用いてリソースブロックにおいてデータを送るためのモジュール１４１０、周波数領域ＣＤＭを用いてリソースブロックにおいてパイロットを送るためのモジュール１４２０を含む。
【００６３】
図１５は、無線通信システムにおいてデータ及びパイロットを受信するための処理１５００の設計を示す。処理１５００は、（以降に説明されるように）ノードＢによって、または、何らかの他のエンティティーによって実行されてよい。ノードＢは、ＦＤＭを用いてリソースブロックにおいてＵＥによって送られたデータを受信してよい（ブロック１５１２）。ノードＢは、周波数領域ＣＤＭを用いてリソースブロックにおいてＵＥによって送られたパイロットを受信してよい（ブロック１５１４）。ノードＢは、受信パイロットに基づいてチャネル推定を導出してよく（ブロック１５１４）、チャネル推定に基づいて受信データに関するコヒーレント検出を実行してよい。
【００６４】
ブロック１５１２に関して、ノードＢは、リソースブロックの複数のシンボル期間においてサブキャリアの複数グループ上でＵＥによって送信された複数の変調シンボルを受信してよい。ノードＢは、所定パターンまたは疑似乱数ホッピングパターンに基づいてサブキャリアの複数グループを決定してよい。各グループは、少なくとも２個の連続したサブキャリアを含んでよく、複数グループは異なるサブキャリアを含んでよい。
【００６５】
ブロック１５１４に関して、ノードＢは、リソースブロックの少なくとも１つのシンボル期間の各々において複数のサブキャリア上でＵＥによってパイロットに関して送信された参照信号系列を受信してよい。ブロック１５１６に関して、ノードＢは、少なくとも１つのシンボル期間の各々における受信参照信号系列を、ＵＥによって送信された参照信号系列と乗算してよい。ノードＢは、乗算結果に基づいてチャネル推定を導出してよい。
【００６６】
図１６は、無線通信システムにおいてデータ及びパイロットを受信するための装置１６００を示す。装置１６００は、ＦＤＭを用いてリソースブロックにおいてＵＥによって送信されたデータを受信するためのモジュール１６１２、周波数領域ＣＤＭを用いてリソースブロックにおいてＵＥによって送信されたパイロットを受信するためのモジュール１６１４、受信パイロットに基づいてチャネル推定を導出するためのモジュール１６１６、チャネル推定に基づいて受信データに関するコヒーレント検出を実行するためのモジュール１６１８を含む。
【００６７】
図１４及び図１６におけるモジュールは、プロセッサ、電子デバイス、ハードウェアデバイス、論理回路、メモリなど、またはそれらの任意の組み合わせを包含してよい。
【００６８】
技術分野における当業者は、情報及び信号が任意の様々な異なる技術及び技法を用いて表現されてよいことを理解するであろう。例えば、上記説明の至る所で参照されるかもしれないデータ、命令、コマンド、情報、信号、ビット、シンボル及びチップは、電圧、電流、電磁波、磁場または磁性粒子、光場または光粒子、またはそれらの任意の組み合わせによって表現されてよい。
【００６９】
当業者は、本願における開示と併せて説明された様々な実例となる論理ブロック、モジュール、回路、及びアルゴリズムステップが電子ハードウェア、コンピュータソフトウェア、または両方の組み合わせとして実装され得ることを更に理解するであろう。ハードウェア及びソフトウェアのこの交換可能性をはっきりと説明するために、様々な実例となるコンポーネント、ブロック、モジュール、回路及びステップが一般的にはそれらの機能性の点から前述されている。そのような機能性がハードウェアまたはソフトウェアとして実装されるかどうかは、特定用途及び全体のシステムに課される設計制約次第である。熟練の技術者は、説明された機能性を夫々の特定用途のために様々な方法で実装するかもしれないが、そのような実装決定は本開示の範囲からの脱却を生じさせることとして解釈されるべきでない。
【００７０】
本願における開示と併せて説明された様々な実例となる論理ブロック、モジュール、回路は、本願において説明された機能を実行するように設計された汎用プロセッサ、ＤＳＰ（digital signal processor）、ＡＳＩＣ（application specific integrated circuit）、ＦＰＧＡ（field programmable gate array）またはその他のプログラム可能な論理デバイス、個別のゲートまたはトランジスタロジック、個別のハードウェアコンポーネント、またはそれらの任意の組み合わせを用いて実装または実行されてよい。汎用プロセッサは、マイクロプロセッサであってよいが、代替的には、プロセッサは任意の従来のプロセッサ、コントローラ、マイクロコントローラまたは状態機械であってよい。プロセッサは、例えばＤＳＰ及びマイクロプロセッサの組み合わせ、複数のマイクロプロセッサ、ＤＳＰコアと連結した１つまたは複数のマイクロプロセッサ、または任意の他のそのような構成などの、計算デバイスの組み合わせとして実装されてもよい。
【００７１】
本願における開示と併せて説明された方法またはアルゴリズムのステップは、ハードウェアにおいて、プロセッサによって実行されるソフトウェアモジュールにおいて、または２つの組み合わせにおいて、直接的に具体化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または技術分野において知られている任意の他の形式の記憶媒体に存在してもよい。典型的な記憶媒体は、プロセッサが当該記憶媒体から情報を読み出し、及び、当該記憶媒体に情報を書き込み可能なように、プロセッサに連結される。代替的には、記憶媒体は、プロセッサに集積化されてよい。プロセッサ及び記憶媒体は、ＡＳＩＣに存在してもよい。ＡＳＩＣは、ユーザ端末に存在してもよい。代替的には、プロセッサ及び記憶媒体は、別個のコンポーネントとして、ユーザ端末に存在してもよい。
【００７２】
１つまたは複数の典型的な設計において、機能はハードウェア、ソフトウェア、ファームウェアまたはそれらの任意の組み合わせにおいて実装されてよい。ソフトウェアにおいて実装されるならば、機能は、１つまたは複数の命令またはコードとしてコンピュータ読み取り可能な媒体上で記憶され、または、伝送されてよい。コンピュータ読み取り可能な媒体は、コンピュータ記憶媒体及びある場所から別の場所へのコンピュータプログラムの移動を容易にする任意の媒体を含む通信媒体の両方を含む。記憶媒体は、汎用または特定用途コンピュータによってアクセス可能な任意の利用可能な媒体であってよい。限定でなく例示として、そのようなコンピュータ読み取り可能な媒体は、ＲＡＭ、ＲＯＭ、ＥＥＰＲＯＭ、ＣＤ−ＲＯＭまたは他の光学ディスクストレージ、磁気ディスクストレージまたは他の磁気ストレージデバイス、または、命令またはデータ構造の形式の所望のプログラムコード手段を搬送または保存するために使用可能であって、汎用または特定用途コンピュータ、または、汎用または特定用途プロセッサによってアクセス可能である任意のその他の媒体を包含してよい。同様に、任意の接続は、コンピュータ可読媒体と適切に呼ばれてよい。例えば、ソフトウェアが同軸ケーブル、光ファイバケーブル、ツイストペア、ＤＳＬ、または、赤外線、ラジオ、マイクロ波などの無線技術を使用してウェブサイト、サーバ、またはその他のリモートソースから送信されるならば、同軸ケーブル、光ファイバケーブル、ツイストペア、ＤＳＬまたは赤外線、ラジオ及びマイクロ波などの無線技術は媒体の定義に含まれる。ディスク(disk)及びディスク(disc)は、本願において用いられるように、ＣＤ(compact disc)、レーザディスク(disc)、光学ディスク(disc)、ＤＶＤ(digital versatile disc)、フロッピー（登録商標）ディスク(disk)、ブルーレイディスク(disc)を含み、ここでディスク(disk)は通常データを磁気的に再生する一方、ディスク(disc)はレーザを用いてデータを光学的に再生する。上記の組み合わせも、コンピュータ可読媒体の範囲内に含まれるべきである。
【００７３】
本開示の前の説明は、技術分野における任意の当業者が本開示を作成または使用できるように提供される。本開示に対する様々な変更は技術分野における当業者にとって容易に明らかとなり、本願で定義された一般的な原理は本開示の趣旨または範囲から逸脱することなく他の変形に対して適用できる。従って、本開示は、本願において説明された例および設計に限定されるものではなく、本願において開示される原理および新規な特徴と合致する最も広い範囲が与えられるべきである。
以下に、本願の出願当初の特許請求の範囲に記載された発明が付記される。
［１］周波数分割多重（ＦＤＭ）を用いてリソースブロックにおいてデータを送信することと、周波数領域符号分割多重（ＣＤＭ）を用いて前記リソースブロックにおいてパイロットを送信することとを具備する、無線通信システムにおいてデータ及びパイロットを送信する方法。
［２］前記リソースブロックは、複数のシンボル期間において複数のサブキャリアを備え、各サブキャリアは、各シンボル期間において多くとも１個のユーザ装置（ＵＥ）によってデータ送信のために使用される、［１］の方法。
［３］前記データを送信することは、前記データに関する複数の変調シンボルを生成することと、前記リソースブロックの複数のシンボル期間においてサブキャリアの複数グループ上で前記複数の変調シンボルを送信することとを備える、［１］の方法。
［４］各グループは、少なくとも２個の連続したサブキャリアを含む、［３］の方法。
［５］前記複数グループは、周波数ダイバーシチのために前記リソースブロックにおいて異なるサブキャリアを含む、［３］の方法。
［６］所定のパターンまたは疑似乱数ホッピングパターンに基づいて前記サブキャリアの複数グループを決定することを更に具備する［３］の方法。
［７］前記複数グループは、前記リソースブロックの前記複数のシンボル期間に亘って連続的に増加するサブキャリアを含む、［３］の方法。
［８］前記データを送信することは、前記複数のシンボル期間に関して複数のシングルキャリア周波数分割多重（ＳＣ−ＦＤＭ）シンボル、各シンボル期間に関して１個のＳＣ−ＦＤＭシンボルを生成することと、各ＳＣ−ＦＤＭシンボルを夫々のシンボル期間において送信することとを更に備え、各ＳＣ−ＦＤＭシンボルは、サブキャリアの１個のグループ上で送信される変調シンボルを備える、［３］の方法。
［９］前記パイロットを送信することは、前記リソースブロックの少なくとも１つのシンボル期間の各々において前記複数のサブキャリア上でパイロットに関する参照信号系列を送信することを備え、少なくとも１つの他の参照信号系列が、前記少なくとも１つのシンボル期間の各々において前記複数のサブキャリア上で少なくとも１つの他のユーザ装置（ＵＥ）によってパイロットに関して送信される、［２］の方法。
［１０］前記参照信号系列及び前記少なくとも１つの他の参照信号系列は、ベース系列の異なるサイクリックシフトである、［９］の方法。
［１１］前記データは、チャネル品質インジケータ（ＣＱＩ）情報、またはアクナリッジメント（ＡＣＫ）情報、またはＣＱＩ及びＡＣＫの両方の情報を備える、［１］の方法。
［１２］周波数分割多重（ＦＤＭ）を用いてリソースブロックにおいてデータを送信し、周波数領域符号分割多重（ＣＤＭ）を用いて前記リソースブロックにおいてパイロットを送信するように構成された少なくとも１つのプロセッサを具備する、無線通信のための装置。
［１３］前記少なくとも１つのプロセッサは、前記データに関する複数の変調シンボルを生成し、前記リソースブロックの複数のシンボル期間においてサブキャリアの複数グループ上で前記複数の変調シンボルを送信するように構成される、［１２］の装置。
［１４］各グループは、少なくとも２個の連続したサブキャリアを含み、前記複数グループは、周波数ダイバーシチのために前記リソースブロックにおいて異なるサブキャリアを含む、［１３］の装置。
［１５］前記少なくとも１つのプロセッサは、所定パターンまたは疑似乱数ホッピングパターンに基づいて前記サブキャリアの複数グループを決定するように構成される、［１３］の装置。
［１６］前記少なくとも１つのプロセッサは、前記複数のシンボル期間に関して複数のシングルキャリア周波数分割多重（ＳＣ−ＦＤＭ）シンボル、各シンボル期間に関して１個のＳＣ−ＦＤＭシンボルを生成し、各ＳＣ−ＦＤＭシンボルを夫々のシンボル期間において送信するように構成され、各ＳＣ−ＦＤＭシンボルはサブキャリアの１個のグループ上で送信される変調シンボルを備える、［１３］の装置。
［１７］前記少なくとも１つのプロセッサは、前記リソースブロックの少なくとも１つのシンボル期間の各々において複数のサブキャリア上でパイロットに関する参照信号系列を送信するように構成され、少なくとも１つの他の参照信号系列が、前記少なくとも１つのシンボル期間の各々において前記複数のサブキャリア上で少なくとも１つの他のユーザ装置（ＵＥ）によってパイロットに関して送信される、［１２］の装置。
［１８］周波数分割多重（ＦＤＭ）を用いてリソースブロックにおいてデータを送信するための手段と、周波数領域符号分割多重（ＣＤＭ）を用いて前記リソースブロックにおいてパイロットを送信するための手段とを具備する、無線通信のための装置。
［１９］前記データを送信するための手段は、前記データに関する複数の変調シンボルを生成するための手段と、前記リソースブロックの複数のシンボル期間においてサブキャリアの複数グループ上で前記複数の変調シンボルを送信するための手段とを備える、［１８］の装置。
［２０］各グループは、少なくとも２個の連続したサブキャリアを含み、前記複数グループは、周波数ダイバーシチのために前記リソースブロックにおいて異なるサブキャリアを含む、［１９］の装置。
［２１］所定パターンまたは疑似乱数ホッピングパターンに基づいて前記サブキャリアの複数グループを決定するための手段を更に具備する［１９］の装置。
［２２］前記データを送信するための手段は、前記複数のシンボル期間に関して複数のシングルキャリア周波数分割多重（ＳＣ−ＦＤＭ）シンボル、各シンボル期間に関して１個のＳＣ−ＦＤＭシンボルを生成するための手段と、各ＳＣ−ＦＤＭシンボルを夫々のシンボル期間において送信するための手段とを更に備え、各ＳＣ−ＦＤＭシンボルは、サブキャリアの１つのグループ上で送信される変調シンボルを備える、［１９］の装置。
［２３］前記パイロットを送信するための手段は、前記リソースブロックの少なくとも１つのシンボル期間の各々において複数のサブキャリア上でパイロットに関する参照信号系列を送信するための手段を備え、少なくとも１つの他の参照信号系列が、前記少なくとも１つのシンボル期間の各々において前記複数のサブキャリア上で少なくとも１つの他のユーザ装置（ＵＥ）によってパイロットに関して送信される、［１８］の装置。
［２４］少なくとも１つのコンピュータに、周波数分割多重（ＦＤＭ）を用いてリソースブロックにおいてデータを送信させるためのコードと、前記少なくとも１つのコンピュータに、周波数領域符号分割多重（ＣＤＭ）を用いて前記リソースブロックにおいてパイロットを送信させるためのコードとを備えるコンピュータ可読媒体を具備するコンピュータプログラム製品。
［２５］周波数分割多重（ＦＤＭ）を用いてリソースブロックにおいてユーザ装置（ＵＥ）によって送信されたデータを受信することと、周波数領域符号分割多重（ＣＤＭ）を用いて前記リソースブロックにおいて前記ＵＥによって送信されたパイロットを受信することとを具備する、無線通信システムにおいてデータ及びパイロットを受信するための方法。
［２６］前記データを受信することは、前記リソースブロックの複数のシンボル期間においてサブキャリアの複数グループ上で前記ＵＥによって送信された複数の変調シンボルを受信することを備える、［２５］の方法。
［２７］所定パターンまたは疑似乱数ホッピングパターンに基づいて前記サブキャリアの複数グループを決定することを更に具備し、前記複数グループは、周波数ダイバーシチのために前記リソースブロックにおいて異なるサブキャリアを含む、［２６］の方法。
［２８］受信された前記パイロットに基づいてチャネル推定を導出することと、受信された前記データに関するコヒーレント検出を前記チャネル推定に基づいて実行することとを更に具備する［２５］の方法。
［２９］前記リソースブロックは、複数のシンボル期間において複数のサブキャリアを備え、前記パイロットを受信することは、前記リソースブロックの少なくとも１つのシンボル期間の各々において前記複数のサブキャリア上で前記ＵＥによってパイロットに関して送信された参照信号系列を受信することを備え、前記チャネル推定を導出することは、前記少なくとも１つのシンボル期間の各々において受信された前記参照信号系列を、前記ＵＥによって送信された前記参照信号系列と乗算することと、乗算結果に基づいて前記チャネル推定を導出することとを備える、［２８］の方法。
［３０］周波数分割多重（ＦＤＭ）を用いてリソースブロックにおいてユーザ装置（ＵＥ）によって送信されたデータを受信し、周波数領域符号分割多重（ＣＤＭ）を用いて前記リソースブロックにおいて前記ＵＥによって送信されたパイロットを受信するように構成された少なくとも１つのプロセッサを具備する、無線通信のための装置。
［３１］前記少なくとも１つのプロセッサは、前記リソースブロックの複数のシンボル期間においてサブキャリアの複数グループ上で前記ＵＥによって送信された複数の変調シンボルを受信するように構成される、［３０］の装置。
［３２］前記少なくとも１つのプロセッサは、所定のパターンまたは疑似乱数ホッピングパターンに基づいて前記サブキャリアの複数グループを決定するように構成され、前記複数グループは、周波数ダイバーシチのために前記リソースブロックにおいて異なるサブキャリアを含む、［３１］の装置。
［３３］前記少なくとも１つのプロセッサは、受信された前記パイロットに基づいてチャネル推定を導出し、受信された前記データに関するコヒーレント検出を前記チャネル推定に基づいて実行するように構成される、［３０］の装置。
［３４］前記リソースブロックは、複数のシンボル期間において複数のサブキャリアを備え、前記少なくとも１つのプロセッサは、前記リソースブロックの少なくとも１つのシンボル期間の各々において複数のサブキャリア上で前記ＵＥによってパイロットに関して送信された参照信号系列を受信し、前記少なくとも１つのシンボル期間の各々において受信された前記参照信号系列を、前記ＵＥによって送信された前記参照信号系列と乗算し、乗算結果に基づいて前記チャネル推定を導出するように構成される、［３３］の装置。
【図１】
0005730567.tif 000006
【図２】
0005730567.tif 000007
【図３】
0005730567.tif 000008
【図４】
0005730567.tif 000009
【図５】
0005730567.tif 000010
【図６Ａ】
0005730567.tif 000011
【図６Ｂ】
0005730567.tif 000012
【図７】
0005730567.tif 000013
【図８】
0005730567.tif 000014
【図９】
0005730567.tif 000015
【図１０】
0005730567.tif 000016
【図１１】
0005730567.tif 000017
【図１２】
0005730567.tif 000018
【図１３】
0005730567.tif 000019
【図１４】
0005730567.tif 000020
【図１５】
0005730567.tif 000021
【図１６】
0005730567.tif 000022